(57)【特許請求の範囲】
【請求項１】
報告を関連付けるための方法であって、
基地局が、最小限ドライブテスト（ｍｉｎｉｍｉｚｅｄ  ｄｒｉｖｅ  ｔｅｓｔ：ＭＤＴ）ジョブを実行するユーザ装置（ｕｓｅｒ  ｅｑｕｉｐｍｅｎｔ：ＵＥ）に対して、前記ＵＥに割り振られた識別子を送るステップと、
前記基地局が、前記ＵＥの無線リンク障害（ｒａｄｉｏ  ｌｉｎｋ  ｆａｉｌｕｒｅ：ＲＬＦ）報告を受け取るステップであって、前記ＲＬＦ報告は前記識別子を搬送するものである、前記受け取るステップと、
前記基地局が、前記ＵＥの前記ＲＬＦ報告と前記識別子を搬送するＭＤＴ測定報告とを関連付けるステップと
を含む方法。
【請求項２】
基地局が、ＭＤＴジョブを実行するＵＥに対して識別子を送る前記ステップは、
前記基地局が、前記ＭＤＴジョブを実行する前記ＵＥに無線リソース制御（ｒａｄｉｏ  ｒｅｓｏｕｒｃｅ  ｃｏｎｔｒｏｌ：ＲＲＣ）接続再構成メッセージを送るステップであって、前記メッセージは前記基地局によって前記ＵＥに割り振られた前記識別子を搬送するものである、前記送るステップ
を含む、請求項１に記載の方法。
【請求項３】
前記基地局が、前記ＵＥの前記ＲＬＦ報告と前記識別子を搬送するＭＤＴ測定報告とを関連付ける前記ステップは、
前記基地局が、前記ＵＥの前記ＲＬＦ報告と、前記同じ識別子を搬送する前記ＭＤＴ測定報告とを組み合わせるステップ
を含む請求項１または２に記載の方法。
【請求項４】
前記基地局が、前記ＵＥの前記ＲＬＦ報告と前記識別子を搬送するＭＤＴ測定報告とを関連付ける前記ステップの後に、
前記基地局が、前記ＵＥの前記ＲＬＦ報告と前記識別子を搬送する前記ＭＤＴ測定報告との間の関連付け結果を、運用管理保守（ｏｐｅｒａｔｉｏｎ，  ａｄｍｉｎｉｓｔｒａｔｉｏｎ  ａｎｄ  ｍａｉｎｔｅｎａｎｃｅ：ＯＡＭ）システムに報告するステップ
をさらに含む、請求項１から３のいずれか一項に記載の方法。
【請求項５】
前記識別子は、トレース参照（ｔｒａｃｅ  ｒｅｆｅｒｅｎｃｅ：ＴＲ）とトレース記録セッション参照（ｔｒａｃｅ  ｒｅｃｏｒｄｉｎｇ  ｓｅｓｓｉｏｎ  ｒｅｆｅｒｅｎｃｅ：ＴＲＳＲ）の組み合わせ、またはＴＲとＴＲＳＲとセル識別子の組み合わせである、請求項１から４のいずれか一項に記載の方法。
【請求項６】
前記基地局が複数の公衆陸上移動網（ｐｕｂｌｉｃ  ｌａｎｄ  ｍｏｂｉｌｅ  ｎｅｔｗｏｒｋ：ＰＬＭＮ）によって共用される基地局である場合には、前記基地局によって受け取られる前記ＵＥの前記ＲＬＦ報告は、前記ＵＥの登録ＰＬＭＮの情報および／または前記ＵＥのホームＰＬＭＮの情報をさらに搬送する、請求項１から５のいずれか一項に記載の方法。
【請求項７】
前記基地局は前記ＯＡＭシステムによって送られたジョブの種類を受け取り、前記ジョブの種類の値が即時のＭＤＴおよびＲＬＦ報告であるときに、前記基地局は前記ＵＥに対して前記ＵＥに割り振られた前記識別子を送る、請求項１から６のいずれか一項に記載の方法。
【請求項８】
前記基地局によって受け取られる前記ジョブの種類は、統合参照点エージェント（ｉｎｔｅｇｒａｔｉｏｎ  ｒｅｆｅｒｅｎｃｅ  ｐｏｉｎｔ  ａｇｅｎｔ：ＩＲＰＡｇｅｎｔ）が前記ＯＡＭシステム内の統合参照点マネージャ（ｉｎｔｅｇｒａｔｉｏｎ  ｒｅｆｅｒｅｎｃｅ  ｐｏｉｎｔ  ｍａｎａｇｅｒ：ＩＲＰＭａｎａｇｅｒ）によって呼び出されたシグナリングトレース・ジョブ・アクティブ化操作に従ってシグナリングトレースジョブを生成した後で、前記ＯＡＭシステム内の前記ＩＲＰＡｇｅｎｔによって前記基地局に送られ、前記シグナリングトレース・ジョブ・アクティブ化操作は前記ＩＲＰＡｇｅｎｔにシグナリングトレースジョブを生成するよう要求するのに使用され、前記シグナリングトレースジョブのジョブの種類は即時のＭＤＴおよびＲＬＦ報告である、請求項７に記載の方法。
【請求項９】
報告を関連付けるための方法であって、
基地局が、最小限ドライブテスト（ＭＤＴ）ジョブを実行するユーザ装置（ＵＥ）の無線リンク障害（ＲＬＦ）報告を受け取るステップであって、前記ＲＬＦ報告は前記ＵＥのソース基地局によって前記ＵＥに割り振られた識別子を搬送するものである、前記受け取るステップと、
前記基地局が、前記ＵＥの前記ＲＬＦ報告を送り、これにより、前記ＵＥの前記ＲＬＦ報告の受信者が前記ＵＥの前記ＲＬＦ報告と前記識別子を搬送するＭＤＴ測定報告とを関連付けるようにするステップと
を含む方法。
【請求項１０】
前記基地局によって送られる前記ＲＬＦ報告の前記受信機は前記ＵＥの前記ソース基地局または運用管理保守（ＯＡＭ）システムである、請求項９に記載の方法。
【請求項１１】
前記識別子は、トレース参照（ＴＲ）とトレース記録セッション参照（ＴＲＳＲ）の組み合わせ、またはＴＲとＴＲＳＲとセル識別子の組み合わせである、請求項９または１０に記載の方法。
【請求項１２】
前記基地局が複数の公衆陸上移動網（ＰＬＭＮ）によって共用される基地局である場合には、前記基地局によって受け取られる前記ＵＥの前記ＲＬＦ報告は、前記ＵＥの登録ＰＬＭＮの情報および／または前記ＵＥのホームＰＬＭＮの情報をさらに搬送する、請求項９から１１のいずれか一項に記載の方法。
【請求項１３】
報告を関連付けるための方法であって、
最小限ドライブテスト（ＭＤＴ）ジョブを実行するユーザ装置（ＵＥ）が、前記ＵＥのソース基地局によって前記ＵＥに割り振られた識別子を受け取るステップと、
前記ＵＥ上で無線リンク障害（ＲＬＦ）が発生したときに、前記ＵＥが基地局にＲＬＦ報告を送るステップであって、前記ＲＬＦ報告は前記ソース基地局によって前記ＵＥに割り振られた前記識別子を搬送し、これにより、前記ＵＥの前記ＲＬＦ報告が前記識別子を搬送するＭＤＴ測定報告と関連付けられるようにする、前記送るステップと
を含む方法。
【請求項１４】
前記識別子は、トレース参照（ＴＲ）とトレース記録セッション参照（ＴＲＳＲ）の組み合わせ、またはＴＲとＴＲＳＲとセル識別子の組み合わせである、請求項１３に記載の方法。
【請求項１５】
前記基地局が複数の公衆陸上移動網（ＰＬＭＮ）によって共用される基地局である場合には、前記ＵＥによって前記基地局に送られる前記ＲＬＦ報告は、前記ＵＥの登録ＰＬＭＮの情報および／または前記ＵＥのホームＰＬＭＮの情報を搬送する、請求項１３または１４に記載の方法。
【請求項１６】
前記基地局は、前記ＵＥの前記ソース基地局または前記ＵＥのターゲット基地局である、請求項１３から１５のいずれか一項に記載の方法。
【請求項１７】
最小限ドライブテスト（ＭＤＴ）ジョブを実行するユーザ装置（ＵＥ）に対して前記ＵＥに割り振られた識別子を送るように構成された第１の送信部と、
前記ＵＥの無線リンク障害（ＲＬＦ）報告を受け取るように構成された第１の受信部であって、前記ＲＬＦ報告は前記識別子を搬送するものである、前記第１の受信部と、
前記ＵＥの前記ＲＬＦ報告と前記識別子を搬送するＭＤＴ測定報告とを関連付けるように構成された第１の処理部と
を備える基地局。
【請求項１８】
前記第１の送信部は、前記ＭＤＴジョブを実行する前記ＵＥに無線リソース制御（ＲＲＣ）接続再構成メッセージを送るように特に構成されており、前記メッセージは前記基地局によって前記ＵＥに割り振られた前記識別子を搬送するものである、請求項１７に記載の基地局。
【請求項１９】
前記第１の処理部は、前記ＵＥの前記ＲＬＦ報告と前記同じ識別子を搬送する前記ＭＤＴ測定報告とを関連付けるように特に構成されている、請求項１７または１８に記載の基地局。
【請求項２０】
前記第１の送信部は、前記ＵＥの前記ＲＬＦ報告と前記識別子を搬送する前記ＭＤＴ測定報告との間の関連付け結果を運用管理保守（ＯＡＭ）システムに報告するようにさらに構成されている、請求項１７から１９のいずれか一項に記載の基地局。
【請求項２１】
前記第１の受信部は、前記ＯＡＭシステムによって送られたジョブの種類を受け取るようにさらに構成されており、前記第１の送信部は、前記第１の受信部によって受け取られた前記ジョブの種類の値が即時のＭＤＴおよびＲＬＦ報告であるときに、前記ＵＥに対して前記ＵＥに割り振られた前記識別子を送るようにさらに構成されている、請求項１７から２０のいずれか一項に記載の基地局。
【請求項２２】
前記第１の受信部によって受け取られる前記ジョブの種類は、統合参照点エージェント（ＩＲＰＡｇｅｎｔ）が前記ＯＡＭシステム内の統合参照点マネージャ（ＩＲＰＭａｎａｇｅｒ）によって呼び出されたシグナリングトレース・ジョブ・アクティブ化操作に従ってシグナリングトレースジョブを生成した後で、前記ＯＡＭシステム内の前記ＩＲＰＡｇｅｎｔによって送られ、前記シグナリングトレース・ジョブ・アクティブ化操作は前記ＩＲＰＡｇｅｎｔにシグナリングトレースジョブを生成するよう要求するのに使用され、前記シグナリングトレースジョブのジョブの種類は即時のＭＤＴおよびＲＬＦ報告である、請求項２１に記載の基地局。
【請求項２３】
前記識別子は、トレース参照（ＴＲ）とトレース記録セッション参照（ＴＲＳＲ）の組み合わせ、またはＴＲとＴＲＳＲとセル識別子の組み合わせである、請求項１７から２２のいずれか一項に記載の基地局。
【請求項２４】
前記基地局が複数の公衆陸上移動網（ＰＬＭＮ）によって共用される基地局である場合には、前記第１の受信部によって受け取られる前記ＵＥの前記ＲＬＦ報告は、前記ＵＥの登録ＰＬＭＮの情報および／または前記ＵＥのホームＰＬＭＮの情報をさらに搬送する、請求項１７から２３のいずれか一項に記載の基地局。
【請求項２５】
最小限ドライブテスト（ＭＤＴ）ジョブを実行するユーザ装置（ＵＥ）の無線リンク障害（ＲＬＦ）報告を受け取るように構成された第２の受信部であって、前記ＲＬＦ報告は前記ＵＥのソース基地局によって前記ＵＥに割り振られた識別子を搬送するものである、前記第２の受信部と、
前記ＵＥの前記ＲＬＦ報告を送り、これにより、前記ＵＥの前記ＲＬＦ報告の受信機が前記ＵＥの前記ＲＬＦ報告と前記識別子を搬送するＭＤＴ測定報告とを関連付けるようにするように構成された前記第２の送信部と
を備える基地局。
【請求項２６】
前記第２の送信部は、前記ＵＥの前記ＲＬＦ報告を前記ＵＥのソース基地局に送り、これにより、前記ＵＥの前記ソース基地局が前記ＵＥの前記ＲＬＦ報告と前記識別子を搬送する前記ＭＤＴ測定報告とを関連付けるようにするように特に構成されており、または、前記第２の送信部は、前記ＵＥの前記ＲＬＦ報告を運用管理保守（ＯＡＭ）システムに送り、これにより、前記ＯＡＭシステムが前記ＵＥの前記ＲＬＦ報告と前記識別子を搬送する前記ＭＤＴ測定報告とを関連付けるようにするように特に構成されている、請求項２５に記載の基地局。
【請求項２７】
前記識別子は、トレース参照（ＴＲ）とトレース記録セッション参照（ＴＲＳＲ）の組み合わせ、またはＴＲとＴＲＳＲとセル識別子の組み合わせである、請求項２５または２６に記載の基地局。
【請求項２８】
前記基地局が複数の公衆陸上移動網（ＰＬＭＮ）によって共用される基地局である場合には、前記第２の受信部によって受け取られる前記ＵＥの前記ＲＬＦ報告は、前記ＵＥの登録ＰＬＭＮの情報および／または前記ＵＥのホームＰＬＭＮの情報をさらに搬送する、請求項２５から２７のいずれか一項に記載の基地局。
【請求項２９】
ユーザ装置（ＵＥ）のソース基地局によって前記ＵＥに割り振られた識別子を受け取るように構成された第５の受信部と、
前記ＵＥが最小限ドライブテスト（ＭＤＴ）ジョブを実行し、前記ＵＥ上で無線リンク障害（ＲＬＦ）が発生したときに、基地局にＲＬＦ報告を送り、前記ＲＬＦ報告は前記ソース基地局によって前記ＵＥに割り振られた前記識別子を搬送し、これにより、前記ＵＥの前記ＲＬＦ報告が前記識別子を搬送するＭＤＴ測定報告と関連付けられるようにするように構成された第５の送信部と
を備えるＵＥ。
【請求項３０】
前記識別子は、トレース参照（ＴＲ）とトレース記録セッション参照（ＴＲＳＲ）の組み合わせ、またはＴＲとＴＲＳＲとセル識別子の組み合わせである、請求項２９に記載のＵＥ。
【請求項３１】
前記第５の送信部によって前記基地局に送られる前記ＲＬＦ報告は、前記ＵＥの登録公衆陸上移動網（ＰＬＭＮ）情報および／または前記ＵＥのホームＰＬＭＮ情報をさらに搬送し、前記基地局は複数のＰＬＭＮによって共有される基地局である、請求項２９または３０に記載のＵＥ。
【請求項３２】
前記基地局は、前記ＵＥの前記ソース基地局または前記ＵＥのターゲット基地局である、請求項２９から３１のいずれか一項に記載のＵＥ。
【請求項３３】
報告を関連付けるための方法であって、
基地局が、最小限ドライブテスト（ＭＤＴ）ジョブを実行するユーザ装置（ＵＥ）の無線リンク障害（ＲＬＦ）報告を受け取るステップと、
前記基地局が、前記ＵＥの前記ＲＬＦ報告を運用管理保守（ＯＡＭ）システムに送り、これにより、前記ＯＡＭシステムが前記ＵＥの前記ＲＬＦ報告と前記ＵＥの識別子を搬送するＭＤＴ測定報告とを関連付けるようにするステップと
を含み、
前記基地局によって受け取られる前記ＲＬＦ報告は前記ＵＥの識別子を搬送せず、前記基地局によって送られる前記ＲＬＦ報告は前記ＵＥの前記識別子を搬送し、前記ＵＥの前記識別子は前記ＵＥのソース基地局によって前記ＵＥに割り振られた識別子である方法。
【請求項３４】
前記ＵＥの前記識別子は、前記基地局によって、ローカルＭＤＴコンテキスト情報を解析することによって獲得され、前記受け取ったＲＬＦ報告に追加される、請求項３３に記載の方法。
【請求項３５】
前記識別子は、トレース参照（ＴＲ）とトレース記録セッション参照（ＴＲＳＲ）の組み合わせ、またはＴＲとＴＲＳＲとセル識別子の組み合わせである、請求項３３または３４に記載の方法。
【請求項３６】
前記基地局が複数の公衆陸上移動網（ＰＬＭＮ）によって共用される基地局である場合には、前記基地局によって受け取られる前記ＲＬＦ報告は、前記ＵＥの登録ＰＬＭＮの情報および／または前記ＵＥのホームＰＬＭＮの情報をさらに搬送する、請求項３３から３５のいずれか一項に記載の方法。
【請求項３７】
報告を関連付けるための方法であって、
運用管理保守（ＯＡＭ）システムが、基地局によって送られる無線リンク障害（ＲＬＦ）報告および最小限ドライブテスト（ＭＤＴ）測定報告書を受け取るステップと、
前記ＲＬＦ報告と前記ＭＤＴ測定報告の両方がユーザ装置（ＵＥ）のソース基地局によって前記ＵＥに割り振られた識別子を搬送する場合には、前記ＯＡＭシステムが前記ＲＬＦ報告とＭＤＴ測定報告とを関連付けるステップと
を含む方法。
【請求項３８】
前記ＯＡＭシステムが、前記ＲＬＦ報告とＭＤＴ測定報告とを関連付ける前記ステップは、
前記ＯＡＭシステムが、前記ＲＬＦ報告と前記ＭＤＴ測定報告とを組み合わせるステップ
を含む請求項３７に記載の方法。
【請求項３９】
前記識別子は、トレース参照（ＴＲ）とトレース記録セッション参照（ＴＲＳＲ）の組み合わせ、またはＴＲとＴＲＳＲとセル識別子の組み合わせである、請求項３７または３８に記載の方法。
【請求項４０】
最小限ドライブテスト（ＭＤＴ）ジョブを実行するユーザ装置（ＵＥ）の無線リンク障害（ＲＬＦ）報告を受け取るように構成された第３の受信部と、
前記ＵＥの前記ＲＬＦ報告を運用管理保守（ＯＡＭ）システムに送り、これにより、前記ＯＡＭシステムが前記ＵＥの前記ＲＬＦ報告と前記ＵＥの識別子を搬送するＭＤＴ測定報告とを関連付けるようにするように構成された第３の送信部と
を備え、
前記第３の受信部によって受け取られる前記ＲＬＦ報告は前記ＵＥの前記識別子を搬送せず、前記第３の送信部によって送られる前記ＲＬＦ報告は前記ＵＥの前記識別子を搬送し、前記ＵＥの前記識別子は前記ＵＥのソース基地局によって前記ＵＥに割り振られた識別子である基地局。
【請求項４１】
第３の処理部をさらに備え、前記第３の処理部は、ローカルＭＤＴコンテキスト情報を解析することによって前記ＵＥの前記識別子を獲得し、前記識別子を前記受け取ったＲＬＦ報告に追加し、これにより、前記第３の送信部が前記ＲＬＦ報告を送るようにするように構成されている、請求項４０に記載の基地局。
【請求項４２】
前記識別子は、トレース参照（ＴＲ）とトレース記録セッション参照（ＴＲＳＲ）の組み合わせ、またはＴＲとＴＲＳＲとセル識別子の組み合わせである、請求項４０または４１に記載の基地局。
【請求項４３】
基地局によって送られる無線リンク障害（ＲＬＦ）報告および最小限ドライブテスト（ＭＤＴ）測定報告を受け取るように構成された第４の受信部と、
前記ＲＬＦ報告と前記ＭＤＴ測定報告の両方がユーザ装置（ＵＥ）のソース基地局によって前記ＵＥに割り振られた識別子を搬送する場合には、前記ＲＬＦ報告と前記ＭＤＴ測定報告とを関連付けるように構成された第４の処理部と
を備える運用管理保守（ＯＡＭ）システム。
【請求項４４】
前記第４の処理部は、前記ＲＬＦ報告と前記ＭＤＴ測定報告の両方が前記ＵＥの前記ソース基地局によって前記ＵＥに割り振られた前記識別子を搬送する場合には、前記ＲＬＦ報告と前記ＭＤＴ測定報告とを組み合わせるように特に構成されている、請求項４３に記載のＯＡＭシステム。
【請求項４５】
前記識別子は、トレース参照（ＴＲ）とトレース記録セッション参照（ＴＲＳＲ）の組み合わせ、またはＴＲとＴＲＳＲとセル識別子の組み合わせである、請求項４３または４４に記載のＯＡＭシステム。
【発明の詳細な説明】
【技術分野】
【０００１】
本発明は無線通信の分野に関し、詳細には、報告を関連付けるための方法および装置に関する。
【背景技術】
【０００２】
無線リンク障害（Ｒａｄｉｏ  Ｌｉｎｋ  Ｆａｉｌｕｒｅ、以後ＲＬＦと略記する）とは、無線アクセスネットワークのエアインターフェースで発生するリンク異常現象である。アクティブ状態のユーザ装置（Ｕｓｅｒ  Ｅｑｕｉｐｍｅｎｔ、以後ＵＥと略記する）上でＲＬＦが発生すると、ＵＥは、ＲＬＦが発生した時間の関連情報を自動的に記録してＲＬＦ報告を作成し、ＲＬＦ報告をネットワーク側基地局に報告する。
【０００３】
最小限ドライブテスト（Ｍｉｎｉｍｉｚｅｄ  Ｄｒｉｖｅ  Ｔｅｓｔ、ＭＤＴと略記する）とは、ネットワーク確立段階およびその後の保守段階で事業者によって行われる従来のドライブテストを減らし、ドライブテスト作業効率を改善するのに使用される、新しいＵＥ測定報告機能である。接続状態またはアイドル状態のＵＥは、ＭＤＴ測定報告を作成するために、ネットワーク測定詳細情報を記録し、記録の時間と位置を記録することができる。
【０００４】
先行技術では、ネットワーク上の無線リンク問題を分析し、位置特定するプロセスは、ＭＤＴ測定報告だけを使用し、ＲＬＦ報告を使用することができない。したがって、ＭＤＴ測定報告およびＲＬＦ報告の情報を、問題の分析および位置特定のプロセスで十分に適用することができず、そのため、問題の分析および位置特定の結果が十分に正確なものにならない。
【発明の概要】
【発明が解決しようとする課題】
【０００５】
本発明は報告を関連付けるための方法および装置を提供し、この方法および装置は、ＵＥのＲＬＦ報告およびＭＤＴ測定報告の情報をネットワーク上の無線リンク問題の分析および位置特定に際して十分に適用することができないために分析および位置特定の結果が十分に正確ではないという先行技術の問題を解決することができる。
【課題を解決するための手段】
【０００６】
一態様において、本発明は、報告を関連付けるための方法であって、
基地局が、ＭＤＴジョブを実行するＵＥに対して、ＵＥに割り振られた識別子を送るステップと、
基地局が、ＵＥのＲＬＦ報告を受け取るステップであって、ＲＬＦ報告は識別子を搬送するものである、受け取るステップと、
基地局が、ＵＥのＲＬＦ報告と識別子を搬送するＭＤＴ測定報告とを関連付けるステップと
を含む方法を提供する。
【０００７】
別の態様において、本発明は、報告を関連付けるための方法であって、
基地局が、ＭＤＴジョブを実行するＵＥのＲＬＦ報告を受け取るステップであって、ＲＬＦ報告はＵＥのソース基地局によってＵＥに割り振られた識別子を搬送するものである、受け取るステップと、
基地局が、ＵＥのＲＬＦ報告を送り、これにより、ＵＥのＲＬＦ報告の受信機がＵＥのＲＬＦ報告と識別子を搬送するＭＤＴ測定報告とを関連付けるようにするステップと
を含む方法を提供する。
【０００８】
別の態様において、本発明は、報告を関連付けるための方法であって、
基地局が、ＭＤＴジョブを実行するＵＥのＲＬＦ報告を受け取るステップと、
基地局が、ＵＥのＲＬＦ報告を運用管理保守（ｏｐｅｒａｔｉｏｎ，  ａｄｍｉｎｉｓｔｒａｔｉｏｎ  ａｎｄ  ｍａｉｎｔｅｎａｎｃｅ：ＯＡＭ）システムに送り、これにより、ＯＡＭシステムがＵＥのＲＬＦ報告とＵＥの識別子を搬送するＭＤＴ測定報告とを関連付けるようにするステップと
を含み、
基地局によって受け取られるＲＬＦ報告はＵＥの識別子を搬送せず、基地局によって送られるＲＬＦ報告はＵＥの識別子を搬送し、ＵＥの識別子はＵＥのソース基地局によってＵＥに割り振られた識別子である方法を提供する。
【０００９】
別の態様において、本発明は、報告を関連付けるための方法であって、
ＯＡＭシステムが、基地局によって送られるＲＬＦ報告およびＭＤＴ測定報告を受け取るステップと、
ＲＬＦ報告とＭＤＴ測定報告の両方がＵＥのソース基地局によってＵＥに割り振られた識別子を搬送する場合には、ＯＡＭシステムが、ＲＬＦ報告とＭＤＴ測定報告とを関連付けるステップと
を含む方法を提供する。
【００１０】
別の態様において、本発明は、報告を関連付けるための方法であって、
ＭＤＴジョブを実行するＵＥが、ＵＥのソース基地局によってＵＥに割り振られた識別子を受け取るステップと、
ＵＥ上で無線リンク障害ＲＬＦが発生したときに、ＵＥが、基地局にＲＬＦ報告を送るステップであって、ＲＬＦ報告はソース基地局によってＵＥに割り振られた識別子を搬送し、これにより、ＵＥのＲＬＦ報告が識別子を搬送するＭＤＴ測定報告と関連付けられるようにする、送るステップと
を含む方法を提供する。
【００１１】
別の態様において、本発明は、基地局であって、
ＭＤＴジョブを実行するＵＥに対してＵＥに割り振られた識別子を送るように構成された第１の送信部と、
ＵＥのＲＬＦ報告を受け取るように構成された第１の受信部であって、ＲＬＦ報告は識別子を搬送するものである、第１の受信部と、
ＵＥのＲＬＦ報告と識別子を搬送するＭＤＴ測定報告とを関連付けるように構成された第１の処理部と
を含む基地局を提供する。
【００１２】
別の態様において、本発明は、基地局であって、
ＭＤＴジョブを実行するＵＥのＲＬＦ報告を受け取るように構成された第２の受信部であって、ＲＬＦ報告はＵＥのソース基地局によってＵＥに割り振られた識別子を搬送するものである、第２の受信部と、
ＵＥのＲＬＦ報告を送り、これにより、ＵＥのＲＬＦ報告の受信機がＵＥのＲＬＦ報告と識別子を搬送するＭＤＴ測定報告とを関連付けるようにするように構成された第２の送信部と
を含む基地局を提供する。
【００１３】
別の態様において、本発明は、基地局であって、
ＭＤＴジョブを実行するＵＥのＲＬＦ報告を受け取るように構成された第３の受信部と、
ＵＥのＲＬＦ報告を運用管理保守（ＯＡＭ）システムに送り、これにより、ＯＡＭシステムがＵＥのＲＬＦ報告とＵＥの識別子を搬送するＭＤＴ測定報告とを関連付けるようにするように構成された第３の送信部と
を含み、
第３の受信部によって受け取られるＲＬＦ報告はＵＥの識別子を搬送せず、第３の送信部によって送られるＲＬＦ報告はＵＥの識別子を搬送し、ＵＥの識別子はＵＥのソース基地局によってＵＥに割り振られた識別子である基地局を提供する。
【００１４】
別の態様において、本発明は、ＯＡＭシステムであって、
基地局によって送られるＲＬＦ報告およびＭＤＴ測定報告を受け取るように構成された第４の受信部と、
ＲＬＦ報告とＭＤＴ測定報告の両方がＵＥのソース基地局によってＵＥに割り振られた識別子を搬送する場合には、ＲＬＦ報告とＭＤＴ測定報告とを関連付けるように構成された第４の処理部と
を含むＯＡＭシステムを提供する。
【００１５】
別の態様において、本発明は、ＭＤＴジョブを実行するＵＥであって、
ＵＥのソース基地局によってＵＥに割り振られた識別子を受け取るように構成された第５の受信部と、
ＵＥがＭＤＴジョブを実行し、ＵＥ上でＲＬＦが発生したときに、基地局にＲＬＦ報告を送り、ＲＬＦ報告はソース基地局によってＵＥに割り振られた識別子を搬送し、これにより、ＵＥのＲＬＦ報告が識別子を搬送するＭＤＴ測定報告と関連付けられるようにするように構成された第５の送信部と
を含むＵＥを提供する。
【００１６】
上記の技術的解決策において、同じ識別子を含むＲＬＦ報告とＭＤＴ測定報告とは関連付けられ、これにより、同じＵＥによって報告されるＲＬＦ報告およびＭＤＴ測定報告に含まれる相補的情報（ｃｏｍｐｌｅｍｅｎｔａｒｙ  ｉｎｆｏｒｍａｔｉｏｎ）が関連付けられ、ネットワーク上の無線リンク問題の分析および位置特定に際して適用され、それによって、分析および位置特定の結果がより正確になる。
【００１７】
本発明の実施形態における、または先行技術における技術的解決策をより明確に例示するために、実施形態または先行技術を説明するのに必要とされる添付の図面を以下で簡単に説明する。明らかに、以下の説明における添付の図面は、本発明の単なるいくつかの実施形態を示すものにすぎず、当業者は、造作なくこれらの添付の図面以外の図面をさらに導出するであろう。
【図面の簡単な説明】
【００１８】
【図１】本発明の一実施形態による方法のフローチャートである。
【図２】本発明の別の実施形態による方法のフローチャートである。
【図３】本発明の別の実施形態による方法のフローチャートである。
【図４】本発明の別の実施形態による基地局の概略的構成図である。
【図５】本発明の別の実施形態による基地局の概略的構成図である。
【図６】本発明の別の実施形態による基地局の概略的構成図である。
【図７】本発明の別の実施形態による基地局の概略的構成図である。
【図８】本発明の別の実施形態によるＯＡＭシステムの概略的構成図である。
【図９】本発明の別の実施形態によるＵＥの概略的構成図である。
【図１０】本発明の別の実施形態による情報を獲得するための方法のフローチャートである。
【発明を実施するための形態】
【００１９】
以下で、本発明の実施形態における技術的解決策を、本発明の実施形態における添付の図面を参照して、明確に、余すところなく説明する。明らかに、記載する実施形態は、本発明のすべての実施形態ではなく、単なる一部にすぎない。当業者により本発明の実施形態に基づいて造作なく得られる他のすべての実施形態は、本発明の保護範囲内に含まれるものである。
【００２０】
本発明のすべての実施形態において、ＵＥ上でＲＬＦが発生するセルを提供する基地局はソース基地局であり、ＵＥがＲＬＦの発生後に無線リソース制御（Ｒａｄｉｏ  Ｒｅｓｏｕｒｃｅ  Ｃｏｎｔｒｏｌ、以後ＲＲＣと略記する）接続を正常に再確立するセルを提供する基地局はターゲット基地局である。ターゲット基地局は、ソース基地局と異なる基地局であってもよく、ソース基地局と同じ基地局であってもよいことに留意すべきである。例えば、ＵＥがＲＬＦの発生後にＲＲＣ接続を正常に再確立するセルを提供する基地局が、ＵＥ上でＲＬＦが発生しないセルを提供する基地局でもある場合には、ターゲット基地局とソース基地局とは同じ基地局である。
【００２１】
図１に示すように、本発明の一実施形態は、報告を関連付けるための方法を提供し、この方法は以下のステップを含む。
【００２２】
ステップ１０１：ソース基地局がＭＤＴジョブを実行するＵＥに対して、ＵＥに割り振られた識別子を送る。
【００２３】
任意選択で、本発明のすべての実施形態において、ソース基地局によってＭＤＴジョブを実行するＵＥに割り振られる識別子は、トレース参照（Ｔｒａｃｅ  Ｒｅｆｅｒｅｎｃｅ、以後ＴＲと略記する）とトレース記録セッション参照（Ｔｒａｃｅ  Ｒｅｃｏｒｄｉｎｇ  Ｓｅｓｓｉｏｎ  Ｒｅｆｅｒｅｎｃｅ、以後ＴＲＳＲと略記する）との組み合わせ、またはＴＲとＴＲＳＲとセル識別子との組み合わせとすることができる。ＴＲとＴＲＳＲとの組み合わせを、本明細書では、ＴＲとＴＲＳＲとによって形成された識別子セットと呼ぶ。ＴＲは運用管理保守（Ｏｐｅｒａｔｉｏｎ  Ａｄｍｉｎｉｓｔｒａｔｉｏｎ  ａｎｄ  Ｍａｉｎｔｅｎａｎｃｅ、以後ＯＡＭと略記する）システムがＭＤＴジョブを作成するときにＯＡＭシステムによって基地局に割り振られるジョブ識別子であるため、ＴＲは、全公衆陸上移動網（Ｐｕｂｌｉｃ  Ｌａｎｄ  Ｍｏｂｉｌｅ  Ｎｅｔｗｏｒｋ、以後ＰＬＭＮと略記する）上の１つのＭＤＴジョブを識別することができる。ＴＲＳＲは、ＭＤＴジョブを実行すべきＵＥを選択する基地局によってＵＥに割り振られる識別子であり、ＭＤＴ測定情報を記録するのに使用される。したがって、ＴＲとＴＲＳＲとの組み合わせは、ＭＤＴジョブを実行し、ＭＤＴ測定および記録を行うＵＥに対応する。ＴＲとＴＲＳＲの組み合わせとＵＥとの間には一意に定まる関係が存在することが理解されるであろう。ＭＤＴジョブを実行するＵＥがＰＬＭＮ内でハンドオーバプロセスを実行するときに、ＵＥに対応するＴＲとＴＲＳＲの組み合わせは変更されないままでよいことに留意すべきである。特に、管理領域に基づくＭＤＴジョブでは、ＯＡＭシステムはＭＤＴジョブに関与すべき領域内の複数のセルの基地局を選択するため、異なるセルの基地局が異なるＵＥに同じＴＲＳＲを割り振る場合がある。したがって、同じＴＲＳＲを有する（ＭＤＴを実行する）異なるＵＥをさらに区別するために、ＴＲとＴＲＳＲとセル識別子との組み合わせが、ＭＤＴジョブを実行するＵＥに対応する識別子として使用されうる。
【００２４】
任意選択で、ソース基地局が、ＭＤＴジョブを実行するＵＥに識別子を送る具体的なプロセスは、ソース基地局が、ＭＤＴジョブを実行するＵＥにＲＲＣ接続再構成メッセージを送るプロセスであり、メッセージはソース基地局によってＵＥに割り振られた識別子を搬送する。
【００２５】
ＭＤＴジョブは、この実施形態では、即時の（ｉｍｍｅｄｉａｔｅ）ＭＤＴジョブであることが理解されるであろう。任意選択で、この実施形態は、ステップ１０１の前にステップ１００をさらに含む。ステップ１００で、ソース基地局は、ＯＡＭシステムによって送られたジョブの種類（Ｊｏｂ  Ｔｙｐｅ）を受け取り、ジョブの種類の値が即時のＭＤＴおよびＲＬＦ報告（Ｉｍｍｅｄｉａｔｅ  ＭＤＴ  ａｎｄ  ＲＬＦ  ｒｅｐｏｒｔｉｎｇ）であるときに、ソース基地局はＵＥに対してＵＥに割り振られた識別子を送る。例えば、ソース基地局は、ＯＡＭシステムによって送られたシグナリングトレース・セッション・アクティブ化要求（Ｔｒａｃｅ  Ｓｅｓｓｉｏｎ  Ａｃｔｉｖａｔｉｏｎ  Ｒｅｑｕｅｓｔ）コマンドを受け取り、このコマンドはジョブの種類を含み、これはジョブの種類がコマンドで搬送されるパラメータであることを意味する。ソース基地局は、Ｊｏｂ  Ｔｙｐｅの値に従って、ＵＥに対して、ＵＥに割り振られた識別子を送るべきかどうか判定する。ステップ１００の後、ソース基地局はステップ１０１を実行して、すなわち、ＵＥに割り振られた識別子を送ってよい。
【００２６】
ステップ１０２：ＭＤＴジョブを実行するＵＥは、ＵＥのソース基地局によってＵＥに割り振られた識別子を受け取る。
【００２７】
ステップ１０３：ＵＥ上でＲＬＦが発生したとき、ＵＥはソース基地局にＲＬＦ報告を送り、ＲＬＦ報告は、ソース基地局によってＵＥに割り振られた識別子を搬送する。
【００２８】
具体的には、このステップは以下の通りとすることができる。ＵＥは、ステップ１０１でＭＤＴジョブのソース基地局によってＵＥに割り振られた受け取り識別子をＲＬＦ報告に書き込んでよく、これにより、ＲＬＦ報告はソース基地局によってＵＥに割り振られた識別子を搬送する。任意選択で、ＵＥのターゲット基地局とソース基地局とが同じ基地局である場合には、このステップで、ＵＥはＲＬＦ報告をソース基地局に直接送り、これは、ＲＬＦ報告が他の機器を介して転送されないことを意味する。あるいは、ＵＥのターゲット基地局とソース基地局とが異なる基地局である場合には、このステップで、ＵＥは、まず、ＲＬＦ報告をターゲット基地局に送り、次いで、ターゲット基地局がＲＬＦ報告をソース基地局に送る。
【００２９】
ステップ１０４：ソース基地局はＵＥのＲＬＦ報告を受け取り、ＲＬＦ報告はＵＥの識別子を搬送する。
【００３０】
任意選択で、この実施形態では、ソース基地局またはＯＡＭシステムは、ＲＬＦ報告とＭＤＴ測定報告とを関連付けてもよい。以下でこれらの２つの事例を説明する。
【００３１】
事例１：ソース基地局は関連付けプロセスを完了する。図１を参照すると、プロセスは以下のステップ１０５１を含む。
【００３２】
ステップ１０５１：ソース基地局は、ＵＥのＲＬＦ報告と識別子を搬送するＭＤＴ測定報告とを関連付ける。
【００３３】
任意選択で、このステップは、基地局が、ＵＥのＲＬＦ報告と、同じ識別子を搬送するＭＤＴ測定報告とを組み合わせるステップを特に含む。例えば、基地局は、同じ識別子を有するＲＬＦ報告およびＭＤＴ測定報告内の同一のレコードのうちの一部を取っておき、ＲＬＦ報告およびＭＤＴ測定報告内の異なるレコードも同時に取っておく。すなわち、組み合わせ結果は、同じＵＥのＲＬＦ報告およびＭＤＴ測定報告のすべての情報を含み、反復情報を含まない。任意選択で、組み合わせ結果は依然として報告であり、すなわち、ソース基地局の関連付け結果は組み合わせ後の報告である。
【００３４】
任意選択で、事例１では、ステップ１０５１の後、ソース基地局は、ＵＥのＲＬＦ報告と識別子を搬送するＭＤＴ測定報告との間の関連付け結果をＯＡＭシステムにさらに報告する（すなわち、ステップ１０５２）。
【００３５】
事例２：ＯＡＭシステムは関連付けプロセスを完了する。このプロセスは図１に示されておらず、以下のステップ１０６１からステップ１０６３を含む。
【００３６】
ステップ１０６１：ソース基地局は受け取ったＵＥのＲＬＦ報告をＯＡＭシステムに送る。
【００３７】
ステップ１０６２：ＯＡＭシステムはソース基地局によって送られたＲＬＦ報告を受け取る。
【００３８】
ステップ１０６３：ＯＡＭシステムによって受け取られたＲＬＦ報告とＭＤＴ測定報告の両方がＵＥのソース基地局によってＵＥに割り振られた識別子を搬送する場合には、ＯＡＭシステムはＲＬＦ報告とＭＤＴ測定報告とを関連付ける。
【００３９】
任意選択で、事例２では、ＯＡＭシステムによって受け取られるＭＤＴ測定報告は、現在のプロセスに従ってソース基地局によって送られてよい。
【００４０】
本発明のすべての実施形態の解決策は、ソース基地局とターゲット基地局とが同じＰＬＭＮネットワークに属するシナリオに適用可能であり、ソース基地局とターゲット基地局とが同じ事業者の異なるＰＬＭＮネットワークに属するシナリオに適用可能であり、また、ソース基地局またはターゲット基地局が複数の事業者のＰＬＭＮネットワークによって共用されるシナリオにも適用可能である。
【００４１】
基地局が複数の事業者のＰＬＭＮネットワークによって共用されるシナリオは、同じ基地局が異なる事業者に属すること、すなわち、少なくとも２事業者のＰＬＭＮネットワークが同じ物理的基地局を共用するシナリオをいう。異なる事業者は異なるネットワーク管理システム（Ｎｅｔｗｏｒｋ  Ｍａｎａｇｅｍｅｎｔ  Ｓｙｓｔｅｍ、以後ＮＭＳと略記する）を使用して共用基地局を管理する。ＮＭＳはＯＡＭシステムにおける１つの実装形態であることに留意すべきである。
【００４２】
ＵＥのソース基地局またはターゲット基地局が複数のＰＬＭＮによって共用される基地局である場合には、この実施形態では、ステップ１０３でＵＥによってソース基地局に送られるＲＬＦ報告は、ＵＥの登録ＰＬＭＮ（Ｒｅｇｉｓｔｅｒｅｄ  ＰＬＭＮ、以後ＲＰＬＭＮと略記する）の情報およびＵＥのホームＰＬＭＮ（Ｈｏｍｅ  ＰＬＭＮ、以後ＨＰＬＭＮと略記する）の情報のうちの少なくとも１つをさらに搬送しうる。このようにして、ソース基地局は、ステップ１０４でＵＥのＲＬＦ報告を受け取るプロセスによって、ＵＥの登録ＰＬＭＮの情報および／またはＵＥのホームＰＬＭＮの情報を獲得することができる。ＲＰＬＭＮ情報は、ＲＬＦ報告がＲＰＬＭＮ情報によって指定されるターゲットＰＬＭＮのＮＭＳに報告されることを示すのに使用され、ＨＰＬＭＮ情報は、ＲＬＦ報告がＨＰＬＭＮの情報によって指定されるターゲットＰＬＭＮネットワークのＮＭＳに報告されることを示すのに使用される。ＵＥは、事業者間のネットワーク共用プロトコル合意に従って、ＲＬＦ報告にＲＰＬＭＮ情報を書き込むべきか、それともＨＰＬＭＮ情報を書き込むべきか決定することができる。
【００４３】
本発明の実施形態によって提供される報告を関連付けるための方法では、ＵＥは、ソース基地局によってＵＥに割り振られた識別子を受け取り、ＵＥ上でＲＬＦが発生したときに識別子をＲＬＦ報告に書き込み、これにより、ソース基地局またはＯＡＭシステムが、ＵＥのＲＬＦ報告と識別子を搬送するＭＤＴ測定報告とを関連付けるようにする。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。さらに、ソース基地局は、ＯＡＭシステムがシグナリングトレースジョブのジョブの種類を即時のＭＤＴおよびＲＬＦ報告に設定することに従って、ＵＥに割り振られた識別子がＵＥに送られる必要があると判定して、管理用途要件に従ってＯＡＭシステムによってカスタマイズされたシグナリングトレースジョブをサポートすることができる。
【００４４】
本発明の別の実施形態によって提供される報告を関連付けるための方法は以下のステップを含む。
【００４５】
ステップ２０１：ソース基地局がＭＤＴジョブを実行するＵＥに対して、ＵＥに割り振られた識別子を送る。
【００４６】
このステップの例に関する詳細については、上記の実施形態のステップ１０１を参照する。
【００４７】
任意選択で、この実施形態は、ステップ２０１の前にステップ２００をさらに含む。ステップ２００で、ソース基地局は、ＯＡＭシステムによって送られたジョブの種類を受け取る。ジョブの種類の値が即時のＭＤＴおよびＲＬＦ報告であるとき、ソース基地局はＵＥに対して、ＵＥに割り振られた識別子を送る。ステップ２００の例に関する詳細については、上記の実施形態のステップ１００を参照する。
【００４８】
ステップ２０２：ＭＤＴジョブを実行するＵＥは、ＵＥのソース基地局によってＵＥに割り振られた識別子を受け取る。
【００４９】
このステップの例に関する詳細については、上記の実施形態のステップ１０２を参照する。
【００５０】
ステップ２０３：ＵＥ上でＲＬＦが発生したとき、ＵＥはターゲット基地局にＲＬＦ報告を送り、ＲＬＦ報告は、ソース基地局によってＵＥに割り振られた識別子を搬送する。
【００５１】
ステップ２０４：ターゲット基地局は、ＭＤＴジョブを実行するＵＥのＲＬＦ報告、すなわち、ステップ２０３でＵＥによって送られたＲＬＦ報告を受け取る。
【００５２】
さらに、この実施形態では、ターゲット基地局はＵＥのＲＬＦ報告を送り、これにより、ターゲット基地局からＵＥのＲＬＦ報告を受け取る受信機が、ＵＥのＲＬＦ報告と識別子を搬送するＭＤＴ測定報告とを関連付けることができるようにしてよい。任意選択で、受信機は、ＵＥのソース基地局またはＯＡＭシステムとすることもできる。以下で具体的な解決策を例示する。
【００５３】
解決策１：受信機はＵＥのソース基地局であり、これは図２に示されていない。
【００５４】
ステップ２０５１：ＵＥのターゲット基地局はＵＥのＲＬＦ報告をＵＥのソース基地局に送る。
【００５５】
ステップ２０５２：ＵＥのソース基地局はＵＥのＲＬＦ報告を受け取り、ＵＥのＲＬＦ報告と識別子を搬送するＭＤＴ測定報告とを関連付ける。
【００５６】
さらに、この解決策は、以下のステップをさらに含んでいてよい。
【００５７】
ステップ２０５３：ソース基地局はステップ２０５２の関連付け結果をＯＡＭシステムに報告する。
【００５８】
解決策２：受信機は、図２に示すＯＡＭシステムである。
【００５９】
ステップ２０６１：ＵＥのターゲット基地局はＵＥのＲＬＦ報告をＯＡＭシステムに送る。
【００６０】
ステップ２０６２：ＯＡＭシステムはターゲット基地局によって送られたＲＬＦ報告を受け取る。
【００６１】
ステップ２０６３：ＯＡＭシステムによって受け取られたＲＬＦ報告とＭＤＴ測定報告の両方がＵＥのソース基地局によってＵＥに割り振られた識別子を搬送する場合には、ＯＡＭシステムはＲＬＦ報告とＭＤＴ測定報告とを関連付ける。ＯＡＭシステムによって受け取られるＭＤＴ測定報告は、本発明のプロセスに従ってソース基地局によってＯＡＭシステムに送られてよい。
【００６２】
この実施形態では、ＵＥのソース基地局またはターゲット基地局が複数のＰＬＭＮによって共用される基地局である場合には、ステップ２０３でＵＥによってターゲット基地局に送られるＲＬＦ報告は、ＵＥの登録ＰＬＭＮの情報および／またはＵＥのホームＰＬＭＮの情報をさらに搬送しうる。このようにして、ターゲット基地局は、ステップ２０４でＵＥのＲＬＦ報告を受け取るプロセスによって、ＵＥの登録ＰＬＭＮの情報および／またはＵＥのホームＰＬＭＮの情報を獲得することができる。
【００６３】
本発明の実施形態によって提供される報告を関連付けるための方法では、ＵＥはソース基地局によってＵＥに割り振られた識別子を受け取り、ＵＥ上でＲＬＦが発生したときにＲＬＦ報告に識別子を書き込み、識別子を搬送するＲＬＦ報告をターゲット基地局に送り；ターゲット基地局は、識別子を搬送するＲＬＦ報告をソース基地局またはＯＡＭシステムに送り、これにより、ソース基地局またはＯＡＭシステムがＵＥのＲＬＦ報告と識別子を搬送するＭＤＴ測定報告とを関連付けるようにする。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。さらに、ソース基地局は、ＯＡＭシステムがシグナリングトレースジョブのジョブの種類を即時のＭＤＴおよびＲＬＦ報告に設定することに従って、ＵＥに割り振られた識別子がＵＥに送られる必要があると判定して、管理用途要件に従ってＯＡＭシステムによってカスタマイズされたシグナリングトレースジョブをサポートすることができる。
【００６４】
図３に示すように、本発明の別の実施形態によって提供される報告を関連付けるための方法は以下のステップを含む。
【００６５】
ステップ３０１：ＭＤＴジョブを実行するＵＥ上でＲＬＦ報告が発生したときに、ＵＥはターゲット基地局にＲＬＦ報告を送る。
【００６６】
ＲＬＦ報告はＵＥの識別子を搬送せず、現在のプロセスに従ってＵＥによって送られてよい。
【００６７】
ステップ３０２：ターゲット基地局は、ＭＤＴジョブを実行するＵＥのＲＬＦ報告を受け取る。
【００６８】
このステップのＲＬＦ報告は、ステップ３０１でＵＥによって送られるＲＬＦ報告であり、ＵＥの識別子を搬送しない。
【００６９】
ステップ３０３：ターゲット基地局は受け取ったＲＬＦ報告をＯＡＭシステムに送り、ＲＬＦ報告でＵＥの識別子を搬送する。
【００７０】
ＵＥの識別子は、ターゲット基地局によって、ローカルＭＤＴコンテキスト情報を解析することによってことによって獲得され、ステップ３０２で受け取ったＲＬＦ報告に追加される。ローカルＭＤＴコンテキスト情報は、受け取ったＵＥコンテキスト情報を解析することによって獲得され、ターゲット基地局によって記憶される。
【００７１】
ステップ３０４：ＯＡＭシステムはターゲット基地局によって送られたＲＬＦ報告を受け取る。
【００７２】
ステップ３０５：ＯＡＭシステムによって受け取られたＲＬＦ報告とＭＤＴ測定報告の両方がＵＥのソース基地局によってＵＥに割り振られた識別子を搬送する場合には、ＯＡＭシステムはＲＬＦ報告とＭＤＴ測定報告とを関連付ける。
【００７３】
ＯＡＭシステムによって受け取られるＭＤＴ測定報告は、現在のプロセスに従ってソース基地局によってＯＡＭシステムに送られてよい。
【００７４】
基地局が複数のＰＬＭＮによって共用される基地局である場合には、ターゲット基地局によって受け取られるＲＬＦ報告は、ＵＥの登録ＰＬＭＮの情報および／またはＵＥのホームＰＬＭＮの情報をさらに搬送しうる。
【００７５】
本発明の実施形態によって提供される報告を関連付けるための方法では、ターゲット基地局は、ＵＥの識別子を搬送しないＲＬＦ報告を受け取り、ＲＬＦ報告に識別子を書き込み、識別子を搬送するＲＬＦ報告をＯＡＭシステムに送り、これにより、ＯＡＭシステムがＵＥのＲＬＦ報告と識別子を搬送するＭＤＴ測定報告とを関連付けるようにする。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。
【００７６】
本発明の一実施形態は、報告を関連付けるための装置をさらに提供し、この装置は以下のように例示される。
【００７７】
図４に示すように、本発明の実施形態は、第１の送信部４１と、第１の受信部４２と、第１の処理部４３とを含む基地局４００を提供する。第１の送信部４１は、ＭＤＴジョブを実行するＵＥに対してＵＥに割り振られた識別子を送るように構成されている。任意選択で、識別子は、ＴＲとＴＲＳＲの組み合わせ、またはＴＲとＴＲＳＲとセル識別子の組み合わせとすることができる。第１の受信部４２は、ＵＥのＲＬＦ報告を受け取るように構成されており、ＲＬＦ報告は識別子を搬送する。第１の処理部４３は、ＵＥのＲＬＦ報告と識別子を搬送するＭＤＴ測定報告とを関連付けるように構成されている。
【００７８】
任意選択で、第１の送信部４１は、ＭＤＴジョブを実行するＵＥにＲＲＣ接続再構成メッセージを送るように特に構成されており、メッセージは基地局４００によってＵＥに割り振られた識別子を搬送する。
【００７９】
任意選択で、第１の処理部４３は、ＵＥのＲＬＦ報告と、同じ識別子を搬送するＭＤＴ測定報告とを関連付けるように特に構成されている。
【００８０】
基地局４００の第１の送信部４１は、ＵＥのＲＬＦ報告と識別子を搬送するＭＤＴ測定報告との間の関連付け結果をＯＡＭシステムに報告するようにさらに構成されていてよい。
【００８１】
加えて、基地局４００が複数のＰＬＭＮによって共用される基地局である場合には、第１の受信部４１によって受け取られるＵＥのＲＬＦ報告は、ＵＥの登録ＰＬＭＮの情報およびＵＥのホームＰＬＭＮの情報のうちの少なくとも１つをさらに搬送しうる。
【００８２】
任意選択で、第１の受信部４２は、ＯＡＭシステムによって送られたジョブの種類を受け取るようにさらに構成されており、例えば、第１の受信部４２は、ＯＡＭシステムによって送られたトレース・セッション・アクティブ化要求コマンドを受け取るように特に構成されており、コマンドはジョブの種類を含む。第１の送信部４１は、第１の受信部４２によって受け取られたジョブの種類の値が即時のＭＤＴおよびＲＬＦ報告であるときに、ＵＥに対してＵＥに割り振られた識別子を送るようにさらに構成されている。
【００８３】
本発明の実施形態によって提供される基地局４００はＵＥのソース基地局とすることができ、ソース基地局では、第１の受信部は識別子を搬送するＲＬＦ報告を受け取り、第１の処理部は、識別子を搬送するＲＬＦ報告と識別子を搬送するＭＤＴ測定報告とを関連付ける。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。
【００８４】
図５に示すように、本発明の別の実施形態は、第２の受信部５１と第２の送信部５２とを含む基地局５００を提供する。第２の受信部５１は、ＭＤＴジョブを実行するＵＥのＲＬＦ報告を受け取るように構成されており、ＲＬＦ報告はＵＥのソース基地局によってＵＥに割り振られた識別子を搬送する。任意選択で、識別子は、ＴＲとＴＲＳＲの組み合わせ、またはＴＲとＴＲＳＲとセル識別子の組み合わせとすることができる。第２の送信部５２は、ＵＥのＲＬＦ報告を送り、これにより、ＵＥのＲＬＦ報告の受信機がＵＥのＲＬＦ報告と識別子を搬送するＭＤＴ測定報告とを関連付けるようにするように構成されている。
【００８５】
任意選択で、ＲＬＦ報告の受信機は、ＵＥのソース基地局またはＯＡＭシステムとすることもできる。第２の送信部５２は、ＵＥのＲＬＦ報告をＵＥのソース基地局に送り、これにより、ＵＥのソース基地局がＵＥのＲＬＦ報告と識別子を搬送するＭＤＴ測定報告とを関連付けるようにするように特に構成されており、または、第２の送信部は、ＵＥのＲＬＦ報告をＯＡＭシステムに送り、これにより、ＯＡＭシステムがＵＥのＲＬＦ報告と識別子を搬送するＭＤＴ測定報告とを関連付けるようにするように特に構成されている。
【００８６】
加えて、第２の受信部５１によって受け取られるＵＥのＲＬＦ報告は、ＵＥの登録ＰＬＭＮの情報および／またはＵＥのホームＰＬＭＮの情報もさらに搬送しうる。この場合には、基地局５００は、複数のＰＬＭＮによって共用される基地局とすることができる。
【００８７】
本発明の実施形態によって提供される基地局５００は、ＵＥのターゲット基地局とすることができ、ターゲット基地局では、第２の受信部は識別子を搬送するＲＬＦ報告を受け取り、第２の送信部は、識別子を搬送するＲＬＦ報告を、ソース基地局またはＯＡＭシステムに送り、これにより、ソース基地局またはＯＡＭシステムが識別子を搬送するＲＬＦ報告と識別子を搬送するＭＤＴ測定報告とを関連付けることができるようにする。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。
【００８８】
図６に示すように、本発明の別の実施形態は、第３の受信部６１と第３の送信部６２とを含む基地局６００を提供する。第３の受信部６１は、ＭＤＴジョブを実行するＵＥのＲＬＦ報告を受け取るように構成されている。第３の送信部６２は、ＵＥのＲＬＦ報告をＯＡＭシステムに送り、これにより、ＯＡＭシステムがＵＥのＲＬＦ報告とＵＥの識別子を搬送するＭＤＴ測定報告とを関連付けるように構成されている。第３の受信部６１によって受け取られるＲＬＦ報告はＵＥの識別子を搬送せず、第３の送信部６２によって送られるＲＬＦ報告はＵＥの識別子を搬送し、ＵＥの識別子はＵＥのソース基地局によってＵＥに割り振られた識別子である。
【００８９】
任意選択で、識別子は、ＴＲとＴＲＳＲの組み合わせ、またはＴＲとＴＲＳＲとセル識別子の組み合わせとすることができる。任意選択で、図７に示すように、基地局６００は、第３の処理部６３をさらに含み、第３の記憶部６４をさらに含んでいてよい。ＵＥの識別子は、基地局６００の第３の処理部６３によって、ローカルＭＤＴコンテキスト情報を解析することによって獲得され、受け取ったＲＬＦ報告に追加される。任意選択で、ローカルＭＤＴコンテキスト情報は、基地局６００の第３の記憶部６４に記憶され、例えば、第３の受信部６１は、ＭＤＴコンテキスト情報を搬送するＵＥコンテキスト情報を受け取り、これにより、第３の記憶部６４がＵＥコンテキスト情報を記憶するようにさらに構成されている。
【００９０】
加えて、第３の受信部によって受け取られるＵＥのＲＬＦ報告は、ＵＥの登録ＰＬＭＮの情報および／またはＵＥのホームＰＬＭＮの情報もさらに搬送しうる。この場合には、基地局６００は、複数のＰＬＭＮによって共用される基地局である。
【００９１】
本発明の実施形態によって提供される基地局６００はＵＥのターゲット基地局であり、ターゲット基地局では、第３の受信部は識別子を搬送しないＲＬＦ報告を受け取り、第３の処理部は識別子を搬送しないＲＬＦ報告に識別子を書き込み、第３の送信部は識別子を搬送するＲＬＦ報告をＯＡＭシステムに送り、これにより、ＯＡＭシステムが識別子を搬送するＲＬＦ報告と識別子を搬送するＭＤＴ測定報告とを関連付けられるようにする。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。
【００９２】
図８に示すように、本発明の別の実施形態は、第４の受信部８１と第４の処理部８２とを含むＯＡＭシステム８００を提供する。第４の受信部８１は、基地局によって送られるＲＬＦ報告およびＭＤＴ測定報告を受け取るように構成されている。第４の処理部８２は、ＲＬＦ報告とＭＤＴ測定報告の両方がＵＥのソース基地局によってＵＥに割り振られた識別子を搬送する場合には、ＲＬＦ報告とＭＤＴ測定報告とを関連付けるように構成されている。
【００９３】
任意選択で、識別子は、ＴＲとＴＲＳＲの組み合わせ、またはＴＲとＴＲＳＲとセル識別子の組み合わせとすることができる。
【００９４】
任意選択で、第４の処理部８２は、ＲＬＦ報告とＭＤＴ測定報告の両方がＵＥのソース基地局によってＵＥに割り振られた識別子を搬送する場合には、ＲＬＦ報告とＭＤＴ測定報告とを組み合わせるように特に構成されている。
【００９５】
本発明の実施形態によって提供されるＯＡＭシステムでは、第４の受信部は識別子を搬送するＲＬＦ報告を受け取り、第４の処理部は、識別子を搬送するＲＬＦ報告と識別子を搬送するＭＤＴ測定報告とを関連付ける。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。
【００９６】
図９に示すように、第５の受信部９１と第５の送信部９２とを含むＵＥ９００が提供される。第５の受信部９１は、ＵＥのソース基地局によってＵＥに割り振られた識別子を受け取るように構成されている。第５の送信部９２は、ＵＥがＵＥ上でＭＤＴジョブを実行し、ＵＥ上でＲＬＦが発生したときに、基地局にＲＬＦ報告を送り、ＲＬＦ報告はソース基地局によってＵＥに割り振られた識別子を搬送し、これにより、ＵＥのＲＬＦ報告が識別子を搬送するＭＤＴ測定報告と関連付けられるようにするように構成されている。
【００９７】
基地局は、ＵＥのソース基地局またはＵＥのターゲット基地局である。
【００９８】
任意選択で、識別子は、ＴＲとＴＲＳＲの組み合わせ、またはＴＲとＴＲＳＲとセル識別子の組み合わせとすることができる。
【００９９】
基地局が複数のＰＬＭＮによって共用される基地局である場合には、第５の送信部９２によって基地局に送られるＲＬＦ報告は、ＵＥの登録ＰＬＭＮの情報および／またはＵＥのホームＰＬＭＮの情報をさらに搬送しうる。
【０１００】
本発明の実施形態によって提供されるＵＥでは、第５の受信部はＵＥのソース基地局によってＵＥに割り振られた識別子を受け取り、ＵＥ上でＲＬＦが発生したときに、識別子を搬送するＲＬＦ報告がソース基地局またはターゲット基地局に送られ、これにより、識別子を搬送するＲＬＦ報告が識別子を搬送するＭＤＴ測定報告と関連付けられうるようになる。このようにして、同じＵＥのＲＬＦ報告およびＭＤＴ測定報告に含まれる相補的情報を、ネットワーク上の無線リンク問題の分析および位置特定に際して適用することができ、それによって、分析および位置特定の結果がより正確になる。
【０１０１】
上記の実施形態における基地局、ＯＡＭシステムおよびＵＥは、上記の実施形態で提供される方法を実施するように構成されうることに留意すべきである。したがって、基地局、ＯＡＭシステムおよびＵＥの詳細については、上記の方法実施形態を参照することができ、ここにはこれ以上の詳細を記載しない。
【０１０２】
異なる管理用途シナリオでは、事業者は、経営者が必要とする情報を提供するのに異なる報告を使用しうる。例えば、事業者がネットワークのセルカバレッジマップを作成する必要がある場合、事業者はＭＤＴ測定報告を使用してよく、その場合、ＭＤＴ測定報告は、セルカバレッジマップを作成するのに必要とされるセル信号サンプリング点の情報を含む。事業者がネットワーク内のあるセルのカバレッジを最適化する必要がある場合、事業者は、カバレッジ問題の位置を特定することができるように、ＲＬＦ報告とＭＤＴ測定報告とを関連付けて、異なる位置におけるセル信号のより詳細なサンプリング点およびサンプリングイベントを獲得する必要がある。しかし、先行技術では、セルカバレッジを最適化するのに必要とされる情報は普通、適時に獲得することができない。
【０１０３】
本発明の別の実施形態は情報を獲得するための方法を提供し、方法は上記の問題を解決することができ、以下のステップを含む。この実施形態は図１０として示すことができる。
【０１０４】
ステップ１００１：統合参照点マネージャ（Ｉｎｔｅｇｒａｔｉｏｎ  Ｒｅｆｅｒｅｎｃｅ  Ｐｏｉｎｔ  Ｍａｎａｇｅｒ、以後ＩＲＰＭａｎａｇｅｒと略記する）が、統合参照点エージェント（Ｉｎｔｅｇｒａｔｉｏｎ  Ｒｅｆｅｒｅｎｃｅ  Ｐｏｉｎｔ  Ａｇｅｎｔ、以後ＩＲＰＡｇｅｎｔと略記する）からシグナリングトレース・ジョブ・アクティブ化（ａｃｔｉｖａｔｅＴｒａｃｅＪｏｂ）操作を呼び出して、ＩＲＰＡｇｅｎｔにシグナリングトレースジョブを生成するよう要求し、シグナリングトレースジョブのジョブの種類（Ｊｏｂ  Ｔｙｐｅ）は即時のＭＤＴおよびＲＬＦ報告（Ｉｍｍｅｄｉａｔｅ  ＭＤＴ  ａｎｄ  ＲＬＦ  ｒｅｐｏｒｔｉｎｇ）である。
【０１０５】
例えば、ＩＲＰＭａｎａｇｅｒは、シグナリングトレースジョブ統合参照点（Ｔｒａｃｅ  ＩＲＰ）からＩＲＰＡｇｅｎｔにシグナリングトレース・ジョブ・アクティブ化操作を呼び出し、シグナリングトレース・ジョブ・アクティブ化操作は、具体的には、シグナリングトレースジョブのシグナリングトレース・ジョブ・アクティブ化操作とすることができ、シグナリングトレースジョブはＩＲＰＭａｎａｇｅｒの管理対象オブジェクトである。
【０１０６】
ステップ１００２：ＩＲＰＡｇｅｎｔはシグナリングトレースジョブを生成し、シグナリングトレースジョブのジョブの種類は即時のＭＤＴおよびＲＬＦ報告である。
【０１０７】
ステップ１００３：ＩＲＰＡｇｅｎｔは、シグナリングトレース・セッション・アクティブ化要求（Ｔｒａｃｅ  Ｓｅｓｓｉｏｎ  Ａｃｔｉｖａｔｉｏｎ  Ｒｅｑｕｅｓｔ）コマンドをソース基地局に送り、コマンドはジョブの種類を含み、これはジョブの種類がコマンドで搬送されるパラメータであることを意味する。ソース基地局は、ジョブの種類の値が即時のＭＤＴおよびＲＬＦ報告であるかどうかに従って、ＵＥに対してＵＥに割り振られた識別子を送るかどうか判定する。
【０１０８】
ステップ１００４：ＩＲＰＡｇｅｎｔは、ソース基地局によって送られたＭＤＴ測定報告とＲＬＦ報告との間の関連付け結果を獲得し、関連付け結果をＩＲＰＭａｎａｇｅｒ内のトレース収集エンティティ（ＴＣＥ、Ｔｒａｃｅ  Ｃｏｌｌｅｃｔｉｏｎ  Ｅｎｔｉｔｙ）に送る。関連付け結果は、ＭＤＴ測定報告とＲＬＦ報告との組み合わせ結果、例えば、上記の実施形態におけるＵＥのＲＬＦ報告と、同じＵＥの識別子を搬送するＭＤＴ測定報告との組み合わせ結果などとすることができる。
【０１０９】
ステップ１００５：ＩＲＰＭａｎａｇｅｒは、ＩＲＰＡｇｅｎｔによって送られたＭＤＴ測定報告とＲＬＦ報告との間の関連付け結果を獲得する。さらに、ＩＲＰＭａｎａｇｅｒは、関連付け結果に従ってセルカバレッジ問題に関する位置特定および分析を行うこともできる。
【０１１０】
この実施形態のＩＲＰＭａｎａｇｅｒおよびＩＲＰＡｇｅｎｔはＯＡＭシステムに位置するものであることが理解されるであろう。
【０１１１】
上記の実施形態と類似した別の実施形態は、ステップ１００１と、上記の実施形態のステップ１００５とを含む、情報を獲得するための方法を提供する。任意選択で、この実施形態は、ステップ１００２とステップ１００４とをさらに含んでいてよい。
【０１１２】
この実施形態では、ＯＡＭシステムのＩＲＰＭａｎａｇｅｒｔとＩＲＰＡｇｅｎｔとの間の管理インターフェースでの構成管理操作によって、ＩＲＰＡｇｅｎｔはＩＲＰＭａｎａｇｅｒが必要とする情報を適時にフィードバックし、これにより、事業者がセルカバレッジを最適化するのに必要な情報を適時に獲得するようにする。加えて、事業者は、管理用途要件に従って、必要な情報、例えば、関連付けられたＲＬＦ報告およびＭＤＴ測定報告などの配信を柔軟に利用し、カバレッジの最適化情報を収集して問題検出および位置特定の正確さを高めるための情報源を追加することができる。
【０１１３】
この実施形態は、報告を関連付けるための方法を提供する上記の実施形態と組み合わされてよい。例えば、ステップ１００またはステップ２００では、ソース基地局によって受け取られるジョブの種類は、ＯＡＭシステム内のＩＲＰＡｇｅｎｔがＯＡＭシステム内のＩＲＰＭａｎａｇｅｒによって呼び出されたシグナリングトレース・ジョブ・アクティブ化操作に従ってシグナリングトレースジョブを生成した後で、ＩＲＰＡｇｅｎｔによってソース基地局に送られ、シグナリングトレース・ジョブ・アクティブ化操作はＩＲＰＡｇｅｎｔにシグナリングトレースジョブを生成するよう要求するのに使用され、シグナリングトレースジョブのジョブの種類は即時のＭＤＴおよびＲＬＦ報告である。別の例としては、ステップ１０５２またはステップ２０５３で、ＯＡＭシステム内のＩＲＰＡｇｅｎｔはソース基地局によって送られた関連付け結果を受け取り、また、その関連付け結果を記憶するためにＩＲＰＭａｎａｇｅｒ内のＴＣＥにさらに送り、これにより、ＩＲＰＭａｎａｇｅｒがセルカバレッジ問題に関して位置特定および分析を行うようにしうる。
【０１１４】
本発明の別の実施形態は、上記のステップ１００１を実行するように構成されたＩＲＰＭａｎａｇｅｒを含むＯＡＭシステムをさらに提供する。さらに、ＩＲＰＭａｎａｇｅｒは、上記のステップ１００５を実行するようにさらに構成されていてよい。任意選択で、ＯＡＭシステムは、上記のステップ１００２からステップ１００４を実行するように構成されたＩＲＰＡｇｅｎｔをさらに含む。システムは、セルカバレッジ問題に関する位置特定および分析を適時に行うことができる。
【０１１５】
上記の実施方法の説明によって、当業者は、本発明がソフトウェアに必要な汎用ハードウェアを加えたものを使用することによって実施されてもよく、もちろん、ハードウェアを使用することによって実施されてもよいことを明確に理解するであろう。しかし、たいていの場合は、前者が好まれる実施方法である。そうした理解に基づき、本発明の技術的解決策は基本的には、すなわち先行技術に寄与する部分は、ソフトウェア製品の形で実施されうる。コンピュータソフトウェア製品は、可読記憶媒体、例えば、コンピュータのフロッピー（登録商標）ディスク、ハードディスク、光ディスクなどに記憶され、（パーソナルコンピュータ、サーバ、ネットワーク機器などとすることのできる）コンピュータ機器に、本発明の実施形態に記載される方法を実行するよう指示する複数の命令を含む。
【０１１６】
以上の説明は、本発明の単なる具体的な実施形態にすぎず、本発明の保護範囲を限定するためのものではない。本発明において開示される技術的範囲内で当業者によって容易に考案されるあらゆる変形または置換は、本発明の保護範囲内に含まれるものである。したがって、本発明の保護範囲は、特許請求の範囲の保護範囲に従うものである。
【０１１７】
（関連出願の相互参照）
本出願は、２０１１年８月１０日に中国特許庁に出願された、「ＭＥＴＨＯＤ  ＡＮＤ  ＡＰＰＡＲＡＴＵＳ  ＦＯＲ  ＡＳＳＯＣＩＡＴＩＮＧ  ＲＥＰＯＲＴＳ」という名称の中国特許出願第２０１１１０２２８８４１．４号、および２０１１年９月２９日に中国特許庁に出願された、「ＭＥＴＨＯＤ  ＡＮＤ  ＡＰＰＡＲＡＴＵＳ  ＦＯＲ  ＡＳＳＯＣＩＡＴＩＮＧ  ＲＥＰＯＲＴＳ」という名称の中国特許出願第２０１１１０２９５６４９．７号の優先権を主張するものであり、両出願は参照によりその全体が本明細書に組み入れられる。
【図１】
0005679616.tif 000002
【図２】
0005679616.tif 000003
【図３】
0005679616.tif 000004
【図４】
0005679616.tif 000005
【図５】
0005679616.tif 000006
【図６】
0005679616.tif 000007
【図７】
0005679616.tif 000008
【図８】
0005679616.tif 000009
【図９】
0005679616.tif 000010
【図１０】
0005679616.tif 000011